【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
マニュアル操作に応じて光軸方向に移動するフォーカスレンズを有する撮影レンズに装着されるドライブユニットであって、
前記フォーカスレンズの移動に伴う前記撮影レンズの焦点状態の変化を表すとともに、合焦方向、合焦位置および合焦範囲内の焦点状態のうち少なくとも１つを示す表示情報を生成する生成手段と、
前記表示情報を表示手段に対して出力する出力手段とを有することを特徴とするドライブユニット。
【請求項２】
前記生成手段は、前記撮影レンズを用いて撮影を行うカメラから入力された映像信号に基づいて前記表示情報を生成することを特徴とする請求項１に記載のドライブユニット。
【請求項３】
前記表示情報が、前記映像信号のコントラスト値を用いた情報であることを特徴とする請求項２に記載のドライブユニット。
【請求項４】
マニュアル操作に応じて光軸方向に移動するフォーカスレンズを有する撮影レンズであって、
前記フォーカスレンズの移動に伴う前記撮影レンズの焦点状態の変化を表すとともに、合焦方向、合焦位置および合焦範囲内の焦点状態のうち少なくとも１つを示す表示情報を生成する生成手段と、
前記表示情報を表示手段に対して出力する出力手段とを有することを特徴とする撮影レンズ。
【請求項５】
前記生成手段は、前記撮影レンズを用いて撮影を行うカメラから入力された映像信号に基づいて前記表示情報を生成することを特徴とする請求項４に記載の撮影レンズ。
【請求項６】
前記表示情報が、前記映像信号のコントラスト値を用いた情報であることを特徴とする請求項５に記載の撮影レンズ。
【請求項７】
フォーカスレンズを有する撮影レンズと、
請求項１乃至３の何れか一項に記載のドライブユニットと、
前記撮影レンズを用いて撮影を行うカメラと、
前記ドライブユニットからの前記表示情報を表示する表示手段と、を有する撮影システム。
【請求項８】
請求項４乃至６の何れか一項に記載の撮影レンズと、
前記撮影レンズを用いて撮影を行うカメラと、
前記撮影レンズからの前記表示情報を表示する表示手段と、を有することを特徴とする撮影システム。
【手続補正２】
【補正対象書類名】明細書
【補正対象項目名】発明の名称
【補正方法】変更
【補正の内容】
【発明の名称】ドライブユニット、撮影レンズおよび撮影システム
【手続補正３】
【補正対象書類名】明細書
【補正対象項目名】０００１
【補正方法】変更
【補正の内容】
【０００１】
本発明は、撮影レンズのマニュアルフォーカス操作に対するインストラクション表示を行うためのドライブユニットおよび撮影レンズに関するものである。
【手続補正４】
【補正対象書類名】明細書
【補正対象項目名】０００４
【補正方法】変更
【補正の内容】
【０００４】
そこで、ＡＦ機能以外で、マニュアルフォーカス操作のアシスト（インストラクション）を行う方法が提案されている。例えば特許文献１にて提案の撮影装置では、マニュアルフォーカスに際して撮影光学系内の一部レンズをウォブリング（微小往復動作）させ、このときに映像信号から得られるコントラスト信号を比較演算して、現在のフォーカス位置が前ピンか後ピンか合焦状態かの情報をカメラのＶＦに表示させる。
【手続補正５】
【補正対象書類名】明細書
【補正対象項目名】０００９
【補正方法】変更
【補正の内容】
【０００９】
本発明は、コストアップや重量増加を招くことなくマニュアルフォーカス操作中に必要に応じて焦点状態の情報が得られ、さらには従来得られなかった合焦深度内での焦点状態を表す情報も得られるようにしたドライブユニット、撮影レンズおよび撮影システムを提供することを目的としている。
【手続補正６】
【補正対象書類名】明細書
【補正対象項目名】００１０
【補正方法】変更
【補正の内容】
【００１０】
上記の目的を達成するために、本願第１の発明では、マニュアル操作に応じて光軸方向に移動するフォーカスレンズを有する撮影レンズに装着されるドライブユニットにおいて、フォーカスレンズの移動に伴う撮影レンズの焦点状態の変化を表すとともに、合焦方向、合焦位置および合焦範囲内の焦点状態のうち少なくとも１つを示す表示情報を生成する情報生成手段と、該表示情報を表示手段に対して出力する出力手段とを有する。
また、本願第２の発明では、マニュアル操作に応じて光軸方向に移動するフォーカスレンズを有する撮影レンズであって、フォーカスレンズの移動に伴う撮影レンズの焦点状態の変化を表すとともに、合焦方向、合焦位置および合焦範囲内の焦点状態のうち少なくとも１つを示す表示情報を生成する生成手段と、上記表示情報を表示手段に対して出力する出力手段とを有する。
【手続補正７】
【補正対象書類名】明細書
【補正対象項目名】００１１
【補正方法】変更
【補正の内容】
【００１１】
ここで、生成手段は、該撮影レンズを用いて撮影を行うカメラから入力された映像信号に基づいて上記表示情報を生成してもよい。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明によれば、フォーカスレンズの移動に伴って変化する焦点状態の表示情報が得られるため、使用者は該情報を見ながら合焦方向、合焦位置および合焦範囲内での焦点状態等を認識することができる。しかも、ウォブリング機構など特別な機構を用いないので、コストアップや重量増加を招くことなく、マニュアルフォーカス操作時の手助けとなる表示情報を表示させることができる。
【手続補正１１】
【補正対象書類名】明細書
【補正対象項目名】００１６
【補正方法】削除
【補正の内容】
【手続補正１２】
【補正対象書類名】明細書
【補正対象項目名】００１９
【補正方法】変更
【補正の内容】
【００１９】
図中の１はＴＶカメラであり、２は該カメラに装着されたズームレンズ（撮影レンズ）である。ズームレンズ２内には、後述するフォーカスレンズ、変倍レンズ、絞り等からなる撮影光学系が搭載されている。
【手続補正１３】
【補正対象書類名】明細書
【補正対象項目名】００２６
【補正方法】変更
【補正の内容】
【００２６】
１２はドライブユニット３の制御を司るコントローラとしてのＣＰＵ（出力手段）である。ＣＰＵ１２はフォーカス位置検出器１１からの信号に基づいて、フォーカスリング５の回転位置に対応するフォーカスレンズ１０の位置（以下、フォーカス位置という）や移動方向（以下、フォーカス方向という）を検出する。
【手続補正１４】
【補正対象書類名】明細書
【補正対象項目名】００２９
【補正方法】変更
【補正の内容】
【００２９】
１９は撮影光学系（撮影光路）に対して出し入れが可能なエクステンダレンズである。ドライブユニット３内には、このエクステンダレンズ１９が撮影光学系内に挿入されているか否かを検出するためのエクステンダ検出器２０も設けられており、ＣＰＵ１２は該エクステンダ検出器２０からの信号に基づいてエクステンダレンズ１９の挿入状態および非挿入状態を検出する。
【手続補正１５】
【補正対象書類名】明細書
【補正対象項目名】００３５
【補正方法】変更
【補正の内容】
【００３５】
ここで図３には、フォーカス位置とコントラスト値（焦点信号）との関係を示している。図に示すように、コントラスト信号２７の値はフォーカス位置が合焦位置となったときに最大値ＭＡＸとなる。一方、合焦位置から離れるにしたがってコントラスト値が最大値ＭＡＸよりも低くなっていく。このため、フォーカスレンズ１０の移動方向とコントラスト信号の変化を観測することで、合焦位置の方向を知ることができる。また、合焦位置付近では、コントラスト値の増加率が低減しながら推移するので、コントラスト信号の増加率が所定値まで減少したりコントラスト信号の増減変化が反転したりしたとき（コントラスト信号がほぼ最大値ＭＡＸとなったとき）に、フォーカス位置がほぼ合焦位置に位置していることを判定することができる。合焦状態にあるときのフォーカス位置は、フォーカス位置検出器１１を通じて検出することができる。
【手続補正１６】
【補正対象書類名】明細書
【補正対象項目名】００３８
【補正方法】変更
【補正の内容】
【００３８】
このように合焦方向、合焦位置および合焦範囲内での焦点状態を表す表示情報としてのフォーカスアシスト情報は、表示パターン生成部（生成手段）３２において生成された表示パターン情報とともに、ＣＰＵ１２から信号入出力端子３６，３７およびケーブル６を介してＶＦ駆動回路２３にシリアル通信で送信される。該フォーカスアシスト情報と表示パターン情報とを受信したＶＦ駆動回路２３は、これらをＶＦ７に表示する。
【手続補正１７】
【補正対象書類名】明細書
【補正対象項目名】００３９
【補正方法】変更
【補正の内容】
【００３９】
次に、ステップ３では、表示モード切換えスイッチ２６にて設定された表示モードを読み込む。本実施例の表示パターン生成部３２では、フォーカスアシスト情報を表示するための４通りの表示パターンを生成する。表示パターン（表示モード）は、表示モード切換えスイッチ２６によって使用者が好みのもの若しくは必要なものを選択することができる。ＣＰＵ１２は、読み込んだ表示モードに応じて、ステップ４〜７に進み、該表示モードに応じたフォーカスアシスト情報を生成する。
【手続補正１８】
【補正対象書類名】明細書
【補正対象項目名】００４３
【補正方法】変更
【補正の内容】
【００４３】
ステップ６に進んだ場合に設定される図６に示す表示モード３では、フォーカスリング５が操作されてフォーカスレンズ１０が移動することによるコントラスト値の増減が、フォーカスアシスト情報３の１つとして矢印指標３０ａ，３０ｂの点滅により表示される。また、丸指標３０ｃの点灯により合焦状態にあることがフォーカスアシスト情報３の１つとして表示される。例えばフォーカスリング５をカメラを構えた使用者から見て右（時計回り）方向に回転操作したときにコントラスト値が増加すると、フォーカス位置検出器１１の出力に基づいて判別したフォーカスリング５の操作方向がコントラスト値の増加方向、すなわち合焦方向であることを表示するために、右向きの矢印指標３０ａが点滅する。そしてコントラスト値に基づく合焦判定がなされると、矢印指標３０ａの点滅が消え、代りにフォーカスアシスト情報３の１つとして丸指標３０ｃの部分が点灯して合焦状態にあることが表示される。
【手続補正１９】
【補正対象書類名】明細書
【補正対象項目名】００５１
【補正方法】変更
【補正の内容】
【００５１】
また、本実施例では、フォーカスアシスト情報が必要なときに、ドライブユニット３に設けられた表示オン／オフスイッチ２５をオン操作することにより、表示モード切換えスイッチ２６で設定された表示モードでフォーカスアシスト情報を表示させることができる。一方、該スイッチ２５のオフ操作によってフォーカスアシスト情報の表示が消える。これにより、フォーカスアシスト情報が不必要のときには、それがＶＦ７上での映像モニタの妨げにならないようにしている。
【手続補正２０】
【補正対象書類名】明細書
【補正対象項目名】００５８
【補正方法】変更
【補正の内容】
【００５８】
図１０には、本発明の実施例３であるズームカメラシステムの外観を示している。本実施例において、実施例１と共通する構成要素は、実施例１と同符号を付して説明に代える。